(57)【要約】【課題】吊り上げ装置により吊り上げられているパネルが支持部材から外れ落下することを防止する。【解決手段】パネルの吊り上げ装置１は、揚重機のフックＫを掛けるフック掛け部２１を有する吊り金具１０と、パネルＡの各短辺Ａ１の下側角部Ｒ１を支持する、断面がＬ字状の一対の支持金具１１と、各支持金具１１の両端部からパネルＡの長辺Ａ２側の側面を通って吊り金具１０に接続される吊り線１２と、各支持金具１１の中央部からパネルＡの短辺Ａ１側の側面と上側角部Ｒ２を通って吊り金具１０に接続されるパネル押さえベルト１３と、を有している。【選択図】図１
2014101151.tif 000002
【特許請求の範囲】
【請求項１】
パネルの吊り上げ装置であって、
揚重機のフックを掛けるフック掛け部を有する吊り部材と、
パネルの対向する各短辺の下側角部を支持する、断面がＬ字状の一対の支持部材と、
前記各支持部材の前記パネルの短辺方向の両端部から前記パネルの長辺側の側面を通って前記吊り部材に接続される吊り線と、
前記各支持部材の前記パネルの短辺方向の中央部から前記パネルの短辺側の側面と上側角部を通って前記吊り部材に接続されるパネル押さえベルトと、を有する、パネルの吊り上げ装置。
【請求項２】
パネルの吊り上げ装置であって、
揚重機のフックを掛けるフック掛け部を有する吊り部材と、
パネルの対向する各短辺の下側角部を支持する、断面がＬ字状の一対の支持部材と、
前記各支持部材の前記パネルの短辺方向の両端部から前記パネルの長辺側の側面を通って前記吊り部材に接続される吊り線と、
前記一対の支持部材の同じ側の端部同士を接続する接続線と、
前記接続線の長さを調節する長さ調整部材と、を有する、パネルの吊り上げ装置。
【発明の詳細な説明】
【技術分野】
【０００１】
本発明は、パネルの吊り上げ装置に関する。
【背景技術】
【０００２】
例えば建物の施工現場において、ＡＬＣなどのパネル（以下、枚数に関わらず、「パネル」とする。）を吊り上げるために、従来より、いわゆる三角スリングと呼ばれる吊り上げ装置が用いられている。
【０００３】
この吊り上げ装置は、揚重機のフックを掛けるフック掛け部を有する吊り金具と、断面L字状の一対の支持金具と、当該支持金具の両端部と吊り金具を接続する４本の吊り線（スリング）を有し、支持金具によりパネルの各短辺の下側角部を支持するとともに、吊り金具のフック掛け部に揚重機のフックを引っ掛けて、パネルを吊り上げることができる（特許文献１参照）。
【先行技術文献】
【特許文献】
【０００４】
【特許文献１】特開平５−１４７８８１号公報
【発明の概要】
【発明が解決しようとする課題】
【０００５】
しかしながら、上記吊り上げ装置の場合、例えばパネルの下面に障害物が衝突して、パネルに上向きの力が作用すると、パネルが浮き上がって支持金具が外れ、それに伴い支持金具が自重で中央側にずれ、パネルがバランスを崩して落下することが考えられる。
【０００６】
本発明はかかる点に鑑みてなされたものであり、パネルに上向きの力が作用しても、パネルが支持金具などの支持部材から外れて落下することを防止できるパネルの吊り上げ装置を提供することをその目的とする。
【課題を解決するための手段】
【０００７】
上記目的を達成するための本発明は、パネルの吊り上げ装置であって、揚重機のフックを掛けるフック掛け部を有する吊り部材と、パネルの対向する各短辺の下側角部を支持する、断面がＬ字状の一対の支持部材と、前記各支持部材の前記パネルの短辺方向の両端部から前記パネルの長辺側の側面を通って前記吊り部材に接続される吊り線と、前記各支持部材の前記パネルの短辺方向の中央部から前記パネルの短辺側の側面と上側角部を通って前記吊り部材に接続されるパネル押さえベルトと、を有する、パネルの吊り上げ装置である。
【０００８】
本発明によれば、パネルに上向きの力が作用しても、パネルが支持部材から外れることがなく、パネルが落下することを防止できる。
【０００９】
別の観点による本発明は、パネルの吊り上げ装置であって、揚重機のフックを掛けるフック掛け部を有する吊り部材と、パネルの対向する各短辺の下側角部を支持する、断面がＬ字状の一対の支持部材と、前記各支持部材の前記パネルの短辺方向の両端部から前記パネルの長辺側の側面を通って前記吊り部材に接続される吊り線と、前記一対の支持部材の同じ側の端部同士を接続する接続線と、前記接続線の長さを調節する長さ調整部材と、を有する、パネルの吊り上げ装置である。
【発明の効果】
【００１０】
本発明によれば、パネルが支持金具から外れて落下することを防止できるので、パネルの破損を防止できる。
【図面の簡単な説明】
【００１１】
【図１】吊り上げ装置の斜視図である。
【図２】パネルの長辺側から見た吊り上げ装置の側面図である。
【図３】パネルの短辺側から見た吊り上げ装置の側面図である。
【図４】支持金具の斜視図である。
【図５】他の構成の吊り上げ装置の斜視図である。
【図６】パネルの長辺側から見た他の構成の吊り上げ装置の側面図である。
【発明を実施するための形態】
【００１２】
以下、図面を参照して、本発明の好ましい実施の形態について説明する。図１は、本実施の形態に係る吊り上げ装置１の構成の概略を示す斜視図であり、図２は、吊り上げ装置１のパネルＡの長辺方向から見た側面図であり、図３は、吊り上げ装置１のパネルＡの短辺方向から見た側面図である。
【００１３】
吊り上げ装置１は、揚重機のフック引掛け部を有する吊り部材としての吊り金具１０と、パネルＡの対向する各短辺Ａ１の下側角部Ｒ１を支持する一対の支持部材としての支持金具１１と、各支持金具１１の各端部からパネルＡの長辺Ａ２側の側面を通って吊り金具１０に接続される４本の吊り線１２と、各支持金具１１の中央部からパネルＡの短辺Ａ１側の側面と上側角部Ｒ２を通って吊り金具１０に接続されるパネル押さえベルト１３を有している。なお、下側角部Ｒ１は、積層されたパネルの最下面の角部であり、上側角部Ｒ２は、積層されたパネルの最上面の角部である。
【００１４】
吊り金具１０は、例えば図３に示すようにパネルＡの短辺Ａ１と同等の長さの板状部２０を有し、その板状部２０の上部にフック引掛け部２１が形成されている。板状部２０の長手方向の両端部には、吊り線１２を連結するための例えばリング状の第１の連結部２２が形成され、板状部２０の長手方向の中央部には、パネル押さえベルト１３を連結するための例えばリング状の第２の連結部２３が形成さている。
【００１５】
支持金具１１は、図４に示すように断面が略Ｌ字型に形成され、パネルＡの下側角部Ｒ１の下面を受ける下板１１ａと、パネルＡの下側角部Ｒ１の短辺Ａ１側の側面を受ける第１の側板１１ｂと、パネルＡの下側角部Ｒ１の長辺Ａ２側の両側面を受ける第２の側板１１ｃを有している。例えば支持金具１１の第２の側板１１ｃの外面には、吊り線１２が連結され、第１の側板１１ｂの外面には、パネル押さえベルト１３が連結されている。
【００１６】
吊り線１２は、例えば金属製のワイヤであり、図１等に示すように一端が支持金具１１の長手方向の端部である第２の側板１１ｃに連結され、他端が吊り金具１０の長手方向の両端部の第１の連結部２２に連結されている。
【００１７】
パネル押さえベルト１３は、例えばナイロン等の合成樹脂繊維からなる平坦な紐状材料（ナイロンスリング）であり、一端が支持金具１１の第１の側板１１ｂの中央部に連結され、他端が吊り金具１０の中央の第２の連結部２３に連結されている。例えばパネル押さえベルト１３の他端には、連結固定用のフック２４が取り付けられており、吊り金具１０の第２の連結部２３に対し容易に着脱できる。また、パネル押さえベルト１３には、その長さを調整するためのバックルなどの長さ調整部材２５が取り付けられている。なお、パネル押さえベルト１３は、一本のベルトであってもよいし、複数本のベルトを接続した構造を有していていもよい。
【００１８】
次に、以上のように構成された吊り上げ装置１を用いたパネルＡの吊り上げ方法について説明する。
【００１９】
例えば吊り上げ装置１は、吊り金具１０と支持金具１１が４本の吊り線１２により接続され、パネル押さえベルト１３の一端が支持金具１１に連結され、パネル押さえベルト１３の他端が吊り金具１０から取り外された状態で用意される。
【００２０】
先ず、建築現場において運搬車両の荷台や資材置き場の枕木上にパネルＡが積層される。このとき、パネルＡは、短辺Ａ１の下側角部Ｒ１を露出した状態で枕木上に置かれる。次に、図１〜図３に示したように支持金具１１がパネルＡの各短辺Ａ１の下側角部Ｒ１に取り付けられる。このとき、吊り線１２は、支持金具１の両端部からパネルＡの長辺Ａ２側の側面を通って吊り金具１０に接続されている。
【００２１】
次に、各パネル押さえベルト１３のフック２４が吊り金具１０の中央の第２の連結部２３に連結される。このとき、パネル押さえベルト１３は、支持金具１１の中央部からパネルＡの短辺Ａ１側の側面と上側角部Ｒ２を通って吊り金具１０に連結される。また、パネル押さえベルト１３には、パネルＡの短辺Ａ１側の側面と上側角部Ｒ２が押さえるように張力がかけられる。所望の張力が得られない場合には、長さ調整部材２５によりパネル押さえベルト１３の長さが調節される。
【００２２】
次に、揚重機のフックＫが吊り金具１０のフック掛け部２１に引掛けられ、その後揚重機によりパネルＡが上方に吊り上げられる。吊り上げの際に、パネルＡの下面に何かが衝突するなどしてパネルＡに上向きの力が作用したときにも、パネル押さえベルト１３によりパネルＡの短辺Ａ１側の上側角部Ｒ２が押さえられているので、パネルＡが支持金具１１から浮き上がることが抑制される。そして、仮にパネルＡが支持金具１１から浮き上がった場合にも、パネル押さえベルト１３の張力により支持金具１１が外側（パネルＡの長手方向の外側）に引っ張られている。これにより、支持金具１１が自重により内側にずれることがなく、パネルＡが支持金具１１上に乗り上げることが防止される。
【００２３】
本実施の形態によれば、パネルＡに上向きの力が作用しても、パネルＡが支持金具１１から外れることがなく、パネルＡが落下することを防止できる。よって、パネルＡの破損を防止できる。また、吊り上げの際に、パネルＡの長辺Ａ２側の側面での作業が発生しないので、運搬車両の荷台上や資材置き場においてパネルＡの長辺Ａ２側に作業スペースがない場合であっても吊り上げ作業を行うことができる。したがって、狭小なスペースであってもパネルＡの吊り上げ作業を行うことができる。
【００２４】
上記実施の形態において、吊り上げ装置１は、パネル押さえベルト１３の代わりに、図５及び図６に示すように一対の支持金具１１の同じ側の端部同士を接続する２本の接続線４０を備えていてもよい。
【００２５】
この場合、接続線４０は、一方の支持金具１１の第２の側板１１ｃと他方の支持金具１１の第２の側板１１ｃとを接続している。接続線４０は、例えばナイロンなどの合成樹脂繊維からなる紐状材料（ナイロンスリング）や金属製のワイヤーである。接続線４０には、バックルなどの長さ調整部材４１が設けられている。
【００２６】
そして、吊り上げ作業時には、先ず接続線４０を緩めた状態で、支持金具１１がパネルＡの各短辺Ａ１の下側角部Ｒ１に取り付けられ、その後、長さ調整部材４１により接続線４０が締められ、各支持金具１１に内側に向かう張力がかけられる。これにより、パネルＡと支持金具１１の第１の側板１１ｂとの摩擦が増大する。この結果、パネルＡに上向きの力が作用しても、パネルＡが浮き上がることを防止でき、パネルＡが支持金具１１から外れて落下することを防止できる。
【００２７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２８】
例えば上記実施の形態における吊り金具１０や支持金具１１は、他の材質、構成を有するものであってもよい。
【産業上の利用可能性】
【００２９】
本発明は、吊り上げ装置により吊り上げられているパネルが支持部材から外れて落下することを防止する際に有用である。
【符号の説明】
【００３０】
１  吊り上げ装置
１０  吊り金具
１１  支持金具
１２  吊り線
１３  パネル押さえベルト
４０  接続線
４１  長さ調整部材
Ａ  パネル
Ａ１  短辺
Ａ２  長辺
Ｒ１  下側角部
Ｒ２  上側角部
【図１】
2014101151.tif 000003
【図２】
2014101151.tif 000004
【図３】
2014101151.tif 000005
【図４】
2014101151.tif 000006
【図５】
2014101151.tif 000007
【図６】
2014101151.tif 000008